【手続補正書】
【提出日】平成16年10月1日(2004.10.1)
【手続補正１】
【補正対象書類名】特許請求の範囲
【補正対象項目名】全文
【補正方法】変更
【補正の内容】
【特許請求の範囲】
【請求項１】
ハンドルと刃ホルダを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは主壁と、開位置から上記主壁を覆う閉位置に旋回可能に上記主壁に取り付けられたガード壁を有し、上記主壁は、上記ガード壁が閉位置にあるときに、刃が上記主壁と上記ガード壁の間に介在するように上記刃を保持するための刃保持手段を有することを特徴とする万能ナイフ。
【請求項２】
上記刃ホルダは、後端部と前端部を有し、上記前端部は、上記ガード壁と上記主壁からなり、上記後端部は、上記ハンドルに旋回可能に取り付けられ、上縁部と下縁部とを有する請求項１に記載の万能ナイフ。
【請求項３】
上記ガード壁は、上記後端部の上記下縁部に隣接したピボット軸を支点として旋回可能に、上記主壁に取り付けられた請求項２に記載の万能ナイフ。
【請求項４】
上記主壁と上記ガード壁に対して、開位置から上記主壁と上記ガード壁にかぶさる閉位置に旋回移動する、刃ロックアセンブリを設けた請求項３に記載の万能ナイフ。
【請求項５】
上記刃ロックアセンブリは、上記上縁部に隣接して上記後端部に旋回可能に取り付けられた請求項４に記載の万能ナイフ。
【請求項６】
上記刃ロックアセンブリは、上壁と一対の側壁を有するＵ字形クリップからなり、上記クリップがその閉位置にあるとき上記側壁は上記主壁と上記ガード壁をはさむように構成された請求項５に記載の万能ナイフ。
【請求項７】
上記クリップは、そこから延在する前方フィンガを有する請求項６に記載の万能ナイフ。
【請求項８】
上記後端部は、そこから延在するフィンガーノブを有する請求項７に記載の万能ナイフ。
【請求項９】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有する請求項８に記載の万能ナイフ。
【請求項１０】
上記刃ホルダの上記後端部は、上記刃ホルダが展開状態にあるとき、上記ロックフィンガーを収容することができる溝を有する請求項９に記載の万能ナイフ。
【請求項１１】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項１０に記載の万能ナイフ。
【請求項１２】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項１１に記載の万能ナイフ。
【請求項１３】
上記刃保持手段は、上記刃ホルダの上記主壁上に設けた一対の突起を有し、上記突起は刃に設けられた対応する溝にそれぞれ入り込むことができるようにされた請求項１２に記載の万能ナイフ。
【請求項１４】
上記ガード壁がその閉位置にあるとき、上記主壁上の定位置に上記ガード壁を保持するためのネジ手段を設けた請求項３に記載の万能ナイフ。
【請求項１５】
上記ネジ手段は上記ガード壁から上記主壁に延在する請求項１４に記載の万能ナイフ。
【請求項１６】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有する請求項１４に記載の万能ナイフ。
【請求項１７】
上記刃ホルダの上記後端部は、上記刃ホルダが展開状態にあるとき、上記ロックフィンガーを収容することができる溝を有する請求項１６に記載の万能ナイフ。
【請求項１８】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項１７に記載の万能ナイフ。
【請求項１９】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項１８に記載の万能ナイフ。
【請求項２０】
上記刃保持手段は、上記刃ホルダの上記主壁上に設けた一対の突起を有し、上記突起は刃に設けられた対応する溝にそれぞれ入り込むことができるようにされた請求項１９に記載の万能ナイフ。
【請求項２１】
ハンドルと刃ホルダを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは主壁と、上記主壁に取り付けられ開位置から上記主壁を覆う閉位置に移動可能なガード壁を有し、上記主壁は、上記ガード壁が閉位置にあるときに、刃が上記主壁と上記ガード壁の間に介在するように上記刃を保持するための刃保持手段を有することを特徴とする万能ナイフ。
【請求項２２】
上記刃ホルダは、後端部と前端部を有し、上記前端部は、上記ガード壁と上記主壁からなり、上記後端部は、上記ハンドルに旋回可能に取り付けられ、上縁部と下縁部とを有する請求項２１に記載の万能ナイフ。
【請求項２３】
上記主壁と上記ガード壁に対して、開位置から上記主壁と上記ガード壁にかぶさる閉位置に旋回移動する、刃ロックアセンブリを設けた請求項２２に記載の万能ナイフ。
【請求項２４】
上記刃ロックアセンブリは、上記上縁部に隣接して上記後端部に旋回可能に取り付けられた請求項２３に記載の万能ナイフ。
【請求項２５】
上記刃ロックアセンブリは、上壁と一対の側壁を有するＵ字形クリップからなり、上記クリップがその閉位置にあるとき上記側壁は上記主壁と上記ガード壁をはさむように構成された請求項２４に記載の万能ナイフ。
【請求項２６】
上記クリップは、そこから延在する前方フィンガを有する請求項２５に記載の万能ナイフ。
【請求項２７】
上記後端部は、そこから延在するフィンガーノブを有する請求項２６に記載の万能ナイフ。
【請求項２８】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有する請求項２７に記載の万能ナイフ。
【請求項２９】
上記刃ホルダの上記後端部は、上記刃ホルダが展開状態にあるとき、上記ロックフィンガーを収容することができる溝を有する請求項２８に記載の万能ナイフ。
【請求項３０】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項２９に記載の万能ナイフ。
【請求項３１】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項３０に記載の万能ナイフ。
【請求項３２】
上記刃保持手段は、上記刃ホルダの上記主壁上に設けた一対の突起を有し、上記突起は刃に設けられた対応する溝にそれぞれ入り込むことができるようにされた請求項３１に記載の万能ナイフ。
【請求項３３】
上記ガード壁がその閉位置にあるとき、上記主壁上の定位置に上記ガード壁を保持するためのネジ手段を設けた請求項２２に記載の万能ナイフ。
【請求項３４】
上記ネジ手段は上記ガード壁から上記主壁に延在する請求項３３に記載の万能ナイフ。
【請求項３５】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有する請求項３４に記載の万能ナイフ。
【請求項３６】
上記刃ホルダの上記後端部は、上記刃ホルダが展開状態にあるとき、上記ロックフィンガーを収容することができる溝を有する請求項３５に記載の万能ナイフ。
【請求項３７】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項３６に記載の万能ナイフ。
【請求項３８】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項３７に記載の万能ナイフ。
【請求項３９】
上記刃保持手段は、上記刃ホルダの上記主壁上に設けた一対の突起を有し、上記突起は刃に設けられた対応する溝にそれぞれ入り込むことができるようにされた請求項３８に記載の万能ナイフ。
【請求項４０】
上記ハンドルは、離隔した一対のハンドル半部からなり、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有する請求項２１に記載の万能ナイフ。
【請求項４１】
上記刃ホルダの上記後端部は、上記刃ホルダが展開状態にあるとき、上記ロックフィンガーを収容することができる溝を有する請求項４０に記載の万能ナイフ。
【請求項４２】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項４１に記載の万能ナイフ。
【請求項４３】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項４２に記載の万能ナイフ。
【請求項４４】
上記刃保持手段は、上記刃ホルダの上記主壁上に設けた一対の突起を有し、上記突起は刃に設けられた対応する溝にそれぞれ入り込むことができるようにされた請求項４３に記載の万能ナイフ。
【請求項４５】
ハンドルと刃ホルダを有する万能ナイフにおいて、上記刃ホルダは、上記ハンドルに旋回可能に取り付けられて展開状態から折り畳み状態に移動することができ、上記刃ホルダで刃を保持する刃保持手段は、上記刃ホルダの刃を取外し可能に保持しており、上記刃ホルダは、後端部と前端部を有し、上記後端部は、上記ハンドルに旋回可能に取り付けられて上縁部と下縁部とを有し、上記展開状態での上記刃ホルダをロック及び解放するロック手段は、上記刃ホルダをロックから解放して折り畳み状態にすることができ、上記ハンドルは、上記刃ホルダがその折り畳み状態にあるとき、上記刃ホルダの少なくとも一部を収容する空間部を有し、上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有し、上記刃ホルダの上記後端部は、上記刃ホルダが展開状態にあるとき、上記ロックフィンガーを収容することができる溝を有することを特徴とする万能ナイフ。
【請求項４６】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができる請求項４５に記載の万能ナイフ。
【請求項４７】
上記ハンドルは、その上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができる請求項４６に記載の万能ナイフ。
【請求項４８】
上記ハンドルは、上記ハンドル内の上記空間部に取り付けられて離隔した一対のハンドル半部からなり、上記ロックレバーアセンブリは、上記空間部に設けられる請求項４７に記載の万能ナイフ。
【請求項４９】
上記刃ホルダは一対の壁を有し、上記刃保持手段は上記壁の間に刃を移動可能に保持することができる請求項４８に記載の万能ナイフ。
【請求項５０】
上記刃保持手段は、上記刃ホルダに設けられる刃ロックアセンブリを有する請求項４９に記載の万能ナイフ。
【手続補正２】
【補正対象書類名】明細書
【補正対象項目名】０００８
【補正方法】変更
【補正の内容】
【０００８】
本発明の一態様によれば、ハンドルと刃ホルダを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは主壁と、開位置から上記主壁を覆う閉位置に旋回可能に上記主壁に取り付けられたガード壁を有し、上記主壁は、上記ガード壁が閉位置にあるときに、刃が上記主壁と上記ガード壁の間に介在するように上記刃を保持するための刃保持手段を有することを特徴とする万能ナイフが得られる。
【手続補正３】
【補正対象書類名】明細書
【補正対象項目名】００５６
【補正方法】変更
【補正の内容】
【００５６】
ハンドル半部２Ａと２Ｂの間に介在して、且つ、ハンドル半部２Ａと２Ｂの上縁部７に沿って、ロックレバーアセンブリ１５（図３〜図５）が設けられ、このロックレバーアセンブリ１５は、ハンドル半部２Ａと２Ｂの間に、ピボットピン１６を支点として旋回可能に取り付けられている。このピボットピン１６は、２つのハンドル半部２Ａおよび２Ｂとロックレバーアセンブリ１５を通って延在する。ロックレバーアセンブリ１５は、前方アーム１７と後方アーム１８をそれぞれ有する２アームレバーである。前方アーム１７は、下方に延在するロックフィンガー１９を備える。ロックレバーアセンブリ１５の後方アーム１８の下には、バネ手段であるスプリング１４（Ｖ字形あるいはＵ字形）が設けられ、このスプリング１４は、通常状態では、後方アーム１８の下縁部に押し当てられ、ピボットピン１６を支点として後方アーム１８を上方に、前方アーム１７を下方に付勢しており、したがって、後方アーム１８はノッチ８上に突出している。ロックレバーアセンブリ１５の後方アーム１８をスプリング１４の作用に抗してノッチ８を介して手指で押し下げると、前方アーム１７が上昇する。